(57)【特許請求の範囲】
【請求項１】
固形脂を加熱溶解させた液化油脂が充填され、固化する容器であって、
隣接する底部が分断され上部が連設し前記液化油脂が充填固化する部分である複数の区画及び隣接する前記区画の側壁上部に設けられ隣接する区画の内部と連通し前記液化油脂の隣接する前記区画への流路である凹部とを有するトレーと、
前記凹部と略同一形状で、前記凹部と嵌合する凸部を底面に備え、前記トレー上部全面を覆い前記トレー外周端部に嵌合する蓋と、
からなり、
前記複数の区画のいずれか１の区画に前記液化油脂が充填されると、前記凹部から隣接する区画に液化油脂が流れ込み、さらに、前記凹部の底部を僅かに越えた高さ位置まで液化油脂が充填され、前記液化油脂が固化することで、固形脂の使用時に固形脂を容易に分割して使用することができることを特徴とする固形脂用容器。
【請求項２】
前記凹部が複数段の窪みであって、下方ほど隣接する区画との連設長が短くなることを特徴とする請求項１に記載の固形脂用容器。
【発明の詳細な説明】
【技術分野】
【０００１】
本発明は、バター、マーガリン、および固形の油脂、ワックス、ルウなど、流通温度帯において固形脂である油脂製品を溶解させた状態で分割充填して、使用時に小分け使用できる固形脂用容器に関する。
【背景技術】
【０００２】
一般消費者用に少量流通される固形脂用容器は、例えば特許文献１のように、幾つか開発されている。しかし、業務用の油脂製品は、缶に充填固化させ、或いはビニール袋に充填固化されダンボールなどの箱で大容量で流通しているのが現状である。
【０００３】
従って、使用時に固体である業務用固形脂を少量使用する場合には、必要数量を分取または分割し、使用している。固化した固形脂は極めて硬いものもあり、その作業は極めて煩雑で、一定の大きさに分割するのは困難であった。そして、業務用固形脂において、あらかじめ分割し、使用しやすいように小分けした容器は知られていない。
【先行技術文献】
【特許文献】
【０００４】
【特許文献１】特開２００５−１０４５８１号公報
【発明の概要】
【発明が解決しようとする課題】
【０００５】
そこで、本発明は、固形脂を均一に分割充填して、小分け使用を容易にした固形脂用容器を提供することを目的とするものである。
【課題を解決するための手段】
【０００６】
上記の課題を解決するために、本発明は、
（１）
固形脂を加熱溶解させた液化油脂が充填され、固化する容器であって、
隣接する底部が分断され上部が連設し前記液化油脂が充填固化する部分である複数の区画及び隣接する前記区画の側壁上部に設けられ隣接する区画の内部と連通し前記液化油脂の隣接する前記区画への流路である凹部とを有するトレーと、
前記凹部と略同一形状で、前記凹部と嵌合する凸部を底面に備え、前記トレー上部全面を覆い前記トレー外周端部に嵌合する蓋と、
からなり、
前記複数の区画のいずれか１の区画に前記液化油脂が充填されると、前記凹部から隣接する区画に液化油脂が流れ込み、さらに、前記凹部の底部を僅かに越えた高さ位置まで液化油脂が充填され、前記液化油脂が固化することで、固形脂の使用時に固形脂を容易に分割して使用することができることを特徴とする固形脂用容器の構成とした。
（２）
前記凹部が複数段の窪みであって、下方ほど隣接する区画との連設長が短くなることを特徴とする請求項１に記載の固形脂用容器の構成とした。
【発明の効果】
【０００７】
本発明は、上記構成であるので次の効果を発揮する。第１に、底部が分断され上部が連設した液化油脂が充填固化する複数の区画と、隣接する区画の側壁上部に設けられ隣接する区画の内部と連通する凹部を設けることで、複数の区画のいずれか１の区画に液化油脂を充填しても、凹部から隣接する区画に液化油脂が流れ込み、凹部の底部を僅かに越えた高さ位置まで液化油脂を充填し、固化させることで、一定の大きさに成形することができる。使用時に容易に固形脂を分割して必要数量を取り出し、使用することができる。
【０００８】
凹部３ｅと凸部２ａを嵌合させ、図１〜１７に示す構造にすれば、容器の強度を保たせつつ、固形脂同士の連結固化部が細くなり、容易に区画毎の固形脂に分割することができる。
【図面の簡単な説明】
【０００９】
【図１】本発明である固形脂用容器の正面図である。
【図２】本発明である固形脂用容器の右側面図である。
【図３】本発明である固形脂用容器の平面図である。
【図４】本発明である固形脂用容器の底面図である。
【図５】図１のＡ−Ａ線断面図である。
【図６】図２のＢ−Ｂ線断面拡大図である。
【図７】トレーの正面図である。
【図８】トレーの右側面図である。
【図９】トレーの平面図である。
【図１０】トレーの底面図である。
【図１１】図７のＣ−Ｃ線断面図である。
【図１２】図８のＤ−Ｄ線断面拡大図である。
【図１３】蓋の正面図である。
【図１４】蓋の右側面図である。
【図１５】蓋の底面図である。
【図１６】図１３のＥ−Ｅ線断面図である
【図１７】図１４のＦ−Ｆ線断面拡大図である。
【発明を実施するための形態】
【００１０】
以下、本発明について、図面を参照しながら詳細に説明する。
【実施例１】
【００１１】
図１〜図６に示すように、本発明である固形脂用容器１は、固形脂を加熱溶解させた液化油脂を充填し、固化させる容器であって、蓋２と、トレー３からなる。ここでは、溶解した固形脂が充填される区画が３連の容器について説明するが、区画は３連に限定されることなく、２以上の複数区画とすることができる。
【００１２】
トレー３は、図７〜図１２に示すように、底部が分断され上部が連設した液化油脂が充填固化する複数の区画、第一区画３ａ、第二区画３ｂ、第三区画３ｃと、隣接する区画の側壁３ｄ上部に設けられ隣接する区画の内部と連通する凹部３ｅとからなる。なお、区画の側面外周には縦に弧状に隆起した突条３ｆが複数設けられ、トレー３の縦方向の強度を補強する。
【００１３】
凹部３ｅは、図９〜図１１に詳細に示すように、複数段の窪みであって、下方ほど隣接する区画との連設長（トレー３の長手方向と直交する方向の距離）が短くなっている。
【００１４】
ここでは、凹部３ｅは、図１１に示すように、左右の端を残して、２段階に窪んでいる。凹部３ｅは図１１に示すように、凹部３ｅの左右は斜め下の中心方向に窪んだ第一段差部３ｇ、３ｇと、第一段差部３ｇに連設する水平な左右の第一底部３ｈ、３ｈと、第一底部３ｈから斜め下の中心方向に窪んだ左右の第二段差部３ｉ、３ｉと、第二段差部３ｉの端部を結ぶ水平な第二底部３ｋと、それぞれの側面は側壁３ｄで塞がれている。さらに、凹部３ｅは、底部から上部に行くにしたがってトレー３の長手方向の幅が細くなっている。
【００１５】
このような段差をもって凹部３ｅを形成することで、第１に隣接する左右の区画に充填された固形脂同士の連結部分が細くなり、容易に分割できる。第２に、隣接する区画同士の連結強度を高めることができる。
【００１６】
なお、トレー３の各隅は、衝撃に対する強度を上げるため、図１２に示すように、折部３ｍが形成されている。折部３ｍの下端がトレー３の外側に突出して折れ曲がり、そこからトレー３内方向にやや傾いて立設する。そして端部３ｎは、トレー３外側に屈折して、必要に応じて使用する蓋と嵌合係止する形状の端部３ｎとする。折部３ｍと端部３ｎの形状にすることで強度が増すとともに、蓋との嵌合が容易かつ強固になる。
【００１７】
このようにしてなるトレー３は、複数の区画のいずれか１の区画に固形脂を加熱して溶解させた液化油脂を充填することで、凹部３ｅから隣接する区画に液化油脂が流れ込む。そして、凹部３ｅの底部を僅かに越えた高さ位置まで液化油脂を充填し、固化させることで、一定の大きさに成形することができる。使用時に容易に固形脂を取り出すことができ、大容量であっても、必要数量を小分け使用できるようになるため極めて便利である。
【００１８】
次に、図１３〜図１７を参照して、蓋２について説明する。蓋２はトレー３上部全面を覆うようにトレー３の端部３ｎと嵌合する。ここでは、図１７に示すように蓋２の外側に少し傾斜した側面２ｈが蓋２上面から垂下し、図６に示すようにトレー３の端部３ｎの外側を蓋２の側面２ｈの内側で係止する。
【００１９】
そして、蓋２の底面には、凹部３ｅと略同一の形状に突出して凹部３ｅと嵌合する凸部２ａを備える。凸部２ａは、蓋２上面から押され、蓋２上面に窪みとともに形成すれば、容易に凹部３ｅに嵌合する形状に成形することができる。そして、図５に示すように、凹部３ｅと凸部２ａは嵌る。
【００２０】
凸部２ａは、主に図１４に示すように、左右の端を残して、凹部３ｅの第一段差部３ｇ、３ｇに対面するよう斜め下の中心方向に突出した左右の第一段差部２ｂ、２ｂと、第一段差部２ｂに連設し凹部３ｅの第一底部３ｈ、３ｈに対面するよう水平な左右の第一突出部２ｃ、２ｃと、第一突出部２ｃに連設し凹部３ｅの第二段差部３ｉ、３ｉに対面するよう斜め下の中心方向に突出した左右の第二段差部２ｄ、２ｄと、第二段差部２ｄの端部を結び、凹部３ｅの第二底部３ｋと対面する水平な第二突出部２ｅと、それぞれの側面は、蓋２から斜めに垂下した側部２ｆで塞がれている。図３及び図１５に示すように凸部はトレー側に行くにしたがって蓋２の長手方向の幅が細くなっている。
【００２１】
また、トレー３の各区画の上部に位置する蓋２の表面には、線状に外側に断面弧状に膨らみを持たせて成形した格子状の補強格子２ｇを設けてある。これにより、蓋２平面の衝撃に対する強度を高めている。
【符号の説明】
【００２２】
１    固形脂用容器
２    蓋
２ａ  凸部
２ｂ  第一段差部
２ｃ  第一突出部
２ｄ  第二段差部
２ｅ  第二突出部
２ｆ  側部
２ｇ  補強格子
２ｈ  側面
３    トレー
３ａ  第一区画
３ｂ  第二区画
３ｃ  第三区画
３ｄ  側壁
３ｅ  凹部
３ｆ  突条
３ｇ  第一段差部
３ｈ  第一底部
３ｉ  第二段差部
３ｋ  第二底部
３ｍ  折部
３ｎ  端部
【図１】
0005933201.tif 000002
【図２】
0005933201.tif 000003
【図３】
0005933201.tif 000004
【図４】
0005933201.tif 000005
【図５】
0005933201.tif 000006
【図６】
0005933201.tif 000007
【図７】
0005933201.tif 000008
【図８】
0005933201.tif 000009
【図９】
0005933201.tif 000010
【図１０】
0005933201.tif 000011
【図１１】
0005933201.tif 000012
【図１２】
0005933201.tif 000013
【図１３】
0005933201.tif 000014
【図１４】
0005933201.tif 000015
【図１５】
0005933201.tif 000016
【図１６】
0005933201.tif 000017
【図１７】
0005933201.tif 000018